(57)【要約】【課題】携帯端末の所持者が迷子になった場合などに、所持者自身が携帯端末を操作して迷子状態を解消可能な携帯端末、携帯端末の制御方法およびプログラムを提供することを目的とする。【解決手段】所定のモードに対応した動作を実行する携帯端末１１０であって、当該携帯端末１１０の現在位置を取得する位置取得部２１２と、所定の地理的な範囲を予め記憶した範囲記憶部２２４と、現在位置が範囲から外れているか否かを判定する判定部２１４と、判定部２１４が、範囲から外れていると判定した場合に、第１モードから当該第１モードよりも動作が限定された第２モードに切り替えるモード切替部２１６と、を備えたことを特徴とする。【選択図】図３
2010154124.tif 000002
【特許請求の範囲】
【請求項１】
所定のモードに対応した動作を実行する携帯端末であって、
当該携帯端末の現在位置を取得する位置取得部と、
所定の地理的な範囲を予め記憶した範囲記憶部と、
前記現在位置が前記範囲から外れているか否かを判定する判定部と、
前記判定部が、前記範囲から外れていると判定した場合に、第１モードから当該第１モードよりも動作が限定された第２モードに切り替えるモード切替部と、
を備えることを特徴とする携帯端末。
【請求項２】
各モードに対応したメニューを表示する表示部と、
前記第１モードであるときに前記表示部に表示される第１メニューに含まれるコマンド及び、前記第２モードであるときに前記表示部に表示される第２メニューに含まれるコマンドを記憶するメニュー記憶部と、を備え、
前記第２メニューに含まれるコマンドの数は、前記第１メニューに含まれるコマンドの数より少ないことを特徴とする請求項１に記載の携帯端末。
【請求項３】
前記第２モードに含まれるコマンドの候補である複数のコマンドを、コマンド一覧として選択可能に提示するコマンド提示部と、
前記コマンド一覧から任意のコマンドを選択するための操作部と、を備え、
前記メニュー記憶部は、前記操作部によって選択されたコマンドを、前記第２モードに含まれるコマンドとして記憶することを特徴とする請求項２に記載の携帯端末。
【請求項４】
前記第２メニューに含まれるコマンドは、ワンタッチ式で実行されるコマンドを含むことを特徴とする請求項２または３に記載の携帯端末。
【請求項５】
前記モード切替部は、前記第２モードから前記第１モードに切り替え可能であり、
前記モード切替部がモードを切り替える際に、報知動作を行う報知部を備え、
前記第１モードから前記第２モードに切り替える際の前記報知部による報知動作が、前記第２モードから前記第１モードに切り替わる際の前記報知部による報知動作と異なることを特徴とする請求項１から４のいずれか１項に記載の携帯端末。
【請求項６】
所定のモードに対応した動作を実行する携帯端末の制御方法であって、
当該携帯端末の現在位置を取得し、
前記現在位置が所定の地理的な範囲から外れているか否かを判定し、
前記判定部が、前記範囲から外れていると判定した場合に、第１モードから当該第１モードよりも動作が限定されている第２モードに切り替えることを特徴とする携帯端末の制御方法。
【請求項７】
コンピュータを、
携帯端末の現在位置を取得する位置取得部と、
所定の地理的な範囲を予め記憶した範囲記憶部と、
前記現在位置が前記範囲から外れているか否かを判定する判定部と、
前記判定部が前記範囲から外れていると判定した場合に、前記携帯端末を動作させる基準となるモードとして、第１モードから当該第１モードよりも動作が限定された第２モードに切り替えるモード切替部と、
して機能させることを特徴とするプログラム。
【発明の詳細な説明】
【技術分野】
【０００１】
本発明は、携帯端末の所持者が予め記憶した地理的範囲から外れたかを判定する携帯端末、携帯端末の制御方法およびプログラムに関するものである。
【背景技術】
【０００２】
近年、ＰＨＳ（Personal Handy phone System）や携帯電話、ＰＤＡ（Personal Digital Assistant）やスマートフォン等の様々な携帯端末の高機能化が進み、当該携帯端末の現在位置に依存するサービスも提供されている。昨今は、ＧＰＳ(Global Positioning System)衛星からの信号を捕捉する機能を搭載するに到り、正確な位置情報を得られるようになってきている。
【０００３】
この位置情報を利用して、周辺の店舗検索や、ナビゲーションシステムまでが実現されている。また、子ども向けの携帯端末の中には、ＧＰＳ機能やＰＨＳの基地局網を活用して、所持している携帯端末の現在位置情報をもとに、かかる端末を所持している子どもの現在位置を取得する技術が知られている。例えば特許文献１には、携帯端末の所持者の移動範囲を予め登録する技術が開示されている。
【特許文献１】特開２００２−９９９７１号公報
【発明の開示】
【発明が解決しようとする課題】
【０００４】
しかしながら特許文献１に記載の技術の場合には、所定の移動範囲からの逸脱を、携帯端末自体が自動的にコールセンタ等に通報する。そのため、所定の移動範囲から逸脱して迷子と思われた子どもも、単に移動範囲から誤って一時的に出たにすぎないなど、迷子になったわけではない場合も少なくない。かかる通報の真偽を確認する確認信号に対して、異常なしと応答することは携帯端末の所持者にとって煩雑である。
【０００５】
そこで本発明は、このような課題に鑑み、携帯端末の所持者が迷子になった場合などに、所持者自身が携帯端末を操作して迷子状態を解消可能な携帯端末、携帯端末の制御方法およびプログラムを提供することを目的としている。
【課題を解決するための手段】
【０００６】
上記の課題を解決するために、本発明にかかる携帯端末の代表的な構成は、所定のモードに対応した動作を実行する携帯端末であって、当該携帯端末の現在位置を取得する位置取得部と、所定の地理的な範囲を予め記憶した範囲記憶部と、現在位置が範囲から外れているか否かを判定する判定部と、判定部が、範囲から外れていると判定した場合に、第１モードから当該第１モードよりも動作が限定された第２モードに切り替えるモード切替部とを備えることを特徴とする。
【０００７】
上記の構成によれば、当該携帯端末は、携帯端末の所持者が所定の地理的な範囲から離れて迷子になったと判定すると、第２モードに切り替え、当該携帯端末の表示部に第２メニューを表示する機能を有する。また、第２メニューに含まれるコマンドを、操作者が幼児であっても操作可能なものとすれば、携帯端末の所持者である幼児は、自ら携帯端末を操作して迷子状態を解消することが可能である。
【０００８】
上記各モードに対応したメニューを表示する表示部と、第１モードであるときに表示部に表示される第１メニューに含まれるコマンド及び、第２モードであるときに表示部に表示される第２メニューに含まれるコマンドを記憶するメニュー記憶部と、を備え、第２メニューに含まれるコマンドの数は、第１メニューに含まれるコマンドの数より少ないとよい。
【０００９】
上記の構成によれば、迷子になって、不安な精神状態にある幼児が操作することを想定すると、迷子モードにおいて当該携帯端末の表示部に表示される迷子メニューに含まれる迷子コマンドは、通常メニューの通常コマンドより選択肢が少ないほうが、操作者は迷わずに済み、自ら操作できる可能性が高まるからである。
【００１０】
上記第２モードに含まれるコマンドの候補である複数のコマンドを、コマンド一覧として選択可能に提示するコマンド提示部と、コマンド一覧から任意のコマンドを選択するための操作部と、を備え、メニュー記憶部は、操作部によって選択されたコマンドを、第２モードに含まれるコマンドとして記憶するとよい。
【００１１】
上記の構成によれば、携帯端末の所持者である幼児の保護者は、操作部を用いて、コマンド一覧から第２メニューに含まれるコマンドを選択し、第２メニューを自ら設定可能である。第２メニューに含まれるコマンドは、幼児であっても操作可能なものとする必要があるため、このように、予め、保護者等が、設定しておくことが望ましい。例えば「○○に電話する」「帰り道を表示する」など、平易な表現で表示されるコマンドを選択することで、幼児が操作可能となる。
【００１２】
上記第２メニューに含まれるコマンドは、ワンタッチ式で実行されるコマンドを含むとよい。ワンタッチ式で実行されるコマンドは、緊急時においても少ない手順で確実に操作できるからである。
【００１３】
上記モード切替部は、第２モードから第１モードに切り替え可能であり、モード切替部がモードを切り替える際に、報知動作を行う報知部を備え、第１モードから第２モードに切り替える際の報知部による報知動作が、第２モードから第１モードに切り替わる際の報知部による報知動作と異なるとよい。
【００１４】
例えば、範囲から外れた場合には音とＬＥＤ(Light Emitting Diode)で、また所定の範囲に戻った場合には、バイブレーションでというように、異なる動作により携帯端末の所持者に対して、現在位置に関する情報を報知する。このような動作を行うことにより、携帯端末の所持者は、所定の範囲から外れた場合と同範囲に戻った場合とを容易に区別して認識することができる。また、かかる構成によれば、携帯端末の所持者に対して、携帯端末の操作を自ら行わせるまでもなく、所定の範囲に戻るように促す効果も期待できる。
【００１５】
上記の課題を解決するために、本発明にかかる携帯端末の制御方法の代表的な構成は、所定のモードに対応した動作を実行する携帯端末の制御方法であって、当該携帯端末の現在位置を取得し、現在位置が所定の地理的な範囲から外れているか否かを判定し、判定部が、範囲から外れていると判定した場合に、第１モードから当該第１モードよりも動作が限定されている第２モードに切り替えることを特徴とする。
【００１６】
上述した携帯端末における技術的思想に対応する構成要素やその説明は、当該携帯端末操作方法にも適用可能である。
【００１７】
上記の課題を解決するために、本発明にかかるプログラムの代表的な構成は、コンピュータを、携帯端末の現在位置を取得する位置取得部と、所定の地理的な範囲を予め記憶した範囲記憶部と、現在位置が範囲から外れているか否かを判定する判定部と、判定部が範囲から外れていると判定した場合に、携帯端末を動作させる基準となるモードとして、第１モードから当該第１モードよりも動作が限定された第２モードに切り替えるモード切替部として機能させることを特徴とする。
【００１８】
上述した携帯端末における技術的思想に対応する構成要素やその説明は、当該プログラムにも適用可能である。
【発明の効果】
【００１９】
本発明によれば、携帯端末の所持者が迷子になった場合などに、所持者自身が携帯端末を操作して迷子状態を解消可能な携帯端末、携帯端末操作方法およびプログラムを提供することが可能となる。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（無線通信システム）
図１は本実施形態にかかる携帯端末１１０が利用する無線通信システム１００の概略構成を示す図である。かかる無線通信システム１００は、携帯端末１１０と、基地局１２０と、インターネットや専用回線等の通信網１３０と、中継サーバ１４０とを含んで構成される。
【００２２】
上記無線通信システム１００では、携帯端末１１０を利用して他の携帯端末１５０に電話しようと試みた場合、ユーザは、自己の携帯端末１１０を操作して、無線通信可能領域にある基地局１２０と無線通信を確立し、通信網１３０、中継サーバ１４０、および、他の携帯端末１５０の無線通信可能領域にある基地局１２０を介して、通信相手の有する他の携帯端末１５０と音声通話を遂行する。
【００２３】
（携帯端末１１０）
図２は携帯端末１１０の概略的な機能を示した機能ブロック図である。かかる携帯端末１１０は、制御部２１０と、記憶部２２２と、表示部２２８と、操作部２３０と、無線通信部２３２と、ＧＰＳ取得部２３３と、音声入力部２３４と、音声出力部２３６と、振動部２３８と、発光部２４０を備えている。さらに携帯端末１１０の制御部２１０は、各機能部位として、位置取得部２１２と、判定部２１４と、モード切替部２１６と、コマンド提示部２１８と、報知部２２０とを備えている。また携帯端末の１１０の記憶部２２２は、範囲記憶部２２４と、メニュー記憶部２２６とを記憶している。
【００２４】
制御部２１０は、中央処理装置（ＣＰＵ:Center Processing Unit）を含む半導体集積回路（共に図示せず）により携帯端末１１０全体を管理および制御する。他の機能としては、記憶部２２２に格納されたプログラムを用いて、通話機能や、メール配信機能、後述するモード切替部２１６を利用した機能などを実行する。
【００２５】
記憶部２２２は、ＲＯＭ(Read Only Memory)、ＲＡＭ(Random Access Memory)、Ｅ２ＰＲＯＭ(Electrically Erasable Programmable ROM)、不揮発性ＲＡＭ、フラッシュメモリ、ＨＤＤ(Hard Disk Drive)等で構成される。
【００２６】
表示部２１４は、カラーまたは単色のディスプレイで構成され、通信網１３０を介してアプリケーションサーバ（図示せず）から提供される、または記憶してある、ＷｅｂブラウザやアプリケーションのＧＵＩ（Graphical User Interface）を表示することができる。
【００２７】
操作部２３０は、キーボード、十字キー、ジョイスティック等のスイッチから構成され、ユーザの操作入力を受け付ける。
【００２８】
無線通信部２３２は、無線通信システム１００における基地局１２０と無線通信を行う。かかる無線通信としては、例えば、基地局１２０内でフレームを時分割した複数のタイムスロットをそれぞれ携帯端末１１０のチャネルに割り当てて通信を行うＴＤＭＡ−ＴＤＤ方式（TDMA： Time Division Multiple Access：時分割多重方式，TDD：Time Division Duplex：時分割複信）、ＯＦＤＭＡ方式（Orthogonal Frequency Division Multiplex Access：直交周波数分割多元接続）等が用いられる。
【００２９】
ＧＰＳ取得部２３３は、現在位置情報を取得する機能を有する。ＧＰＳ取得部２３３は、位置取得部２１２からの制御により、ＧＰＳ衛星５００からの信号を受信して、当該携帯端末１１０の経緯度を取得する。かかる経緯度情報は、携帯端末１１０で現在位置情報として利用する。図２においてＧＰＳ衛星５００は１つしか図示していないが、ＧＰＳ取得部２３３は、一般に３〜５個のＧＰＳ衛星５００から信号を受け、現在位置の経緯度を絶対値として取得することができる。なお、無線通信部２３２は、ＧＰＳ取得部２３３がＧＰＳ信号を捕捉不可能となった際に、現在位置情報を取得する代替手段として基地局１２０に対して現在位置情報を要求し、これを取得することもできる。
【００３０】
音声入力部２３４は、マイクロフォン等の音声を取り込む際に用いる部材であり、音声出力部２３６は、スピーカー、圧電ブザーなどの音を発する部材を指す。振動部２３８は、小刻みな振動を発生させるバイブレーション機能を有する部材である。発光部２４０は、携帯端末１１０の各部を発光させる為に具備されており、暗い場所で操作する際に操作部２３０や表示部を照らし出す働きを有している。
【００３１】
音声入力部２３４、音声出力部２３６、振動部２３８および発光部２４０の使用する事例としては、通話機能やメール機能を使用する際の着信時にそれぞれを同時、または別に用いることができる。
【００３２】
（第１モードと第２モードの定義）
図３は、携帯端末１１０が第１モードである通常モードの場合（図３（ａ））と第２モードである迷子モードの場合（図３（ｂ））の表示部２２８を、それぞれ例示する図である。本実施形態では、代表的なモードとして迷子モードおよび通常モードを用いて説明する。
【００３３】
図３（ａ）の表示部２２８に表示された通常モードとは、通常使用されるモードであり、すべての機能を用いることができる。表示部２２８は通常モードにおける代表的なメニューである第１メニューを表示した状態であり、かかるメニューを通常メニューと称する。さらに、通常メニューに含まれるコマンドを通常コマンドと称する。
【００３４】
表示部２２８は、すべての機能の大まかな分類を表示した状態を示しているが、本実施形態で示した図は一例にすぎず、異なる形態のメニューを用いることもできる。
【００３５】
図３（ｂ）の表示部２２８に表示された迷子モードとは、通常モードと比べ実行できる機能が制限されたモードである。図３（ｂ）は迷子モードにおける代表的なメニューである第２メニューを表示した状態であり、かかるメニューを迷子メニューと称する。さらに、迷子メニューに含まれるコマンドを迷子コマンドと称する。
【００３６】
迷子メニューで迷子コマンドのみを表示する理由は次の通りである。迷子モードが実行されている携帯端末１１０の所持者（以下単に「所持者」と記載する。）は迷子になって、不安定な精神状態にある幼児であることが想定される。そのため、迷子メニューでは、かかる迷子の幼児であっても操作に迷うことがないよう、極端に少数のコマンドのみを表示している。
【００３７】
（ワンタッチ式）
迷子コマンドは、操作者である幼児が確実に操作可能であることも重要である。選択肢が少なくても、難しい表記であったり、操作に何段階ものステップを要したりするコマンドは、迷子コマンドに含めるべきでない。
【００３８】
そこで、迷子コマンドは、容易な操作が可能であるワンタッチ式で実行されるコマンドとすることもできる。ワンタッチ式とは、操作の指示を出す際に操作部２３０に具備されたボタンを一度押すだけで実行される操作の形態を指す。ワンタッチ式とすることにより、所持者は、緊急時であっても、１回あるいはごく少ない手順で、直観的な操作を行うことができる。
【００３９】
ワンタッチ式の迷子コマンドは、携帯端末１１０に具備された操作部２３０のボタンによって操作してもよいし、表示部２２８をタッチスクリーン式にすることにより、表示されたメニューを指やスタイラス等で直接選択することとしてもよい。
【００４０】
（迷子コマンドの設定）
携帯端末１１０は、迷子モードで使用する迷子コマンドを任意に設定することが可能である。操作者は、コマンド提示部２１８によって携帯端末１１０の表示部２２８に提示された迷子コマンドの候補の中から、操作部２３０を使用して、迷子コマンドを選択する。
【００４１】
迷子コマンドは、提示された選択可能なコマンド一覧の中から複数選択することが可能である。提示される迷子コマンドの一例として、例えば「○○に電話する」「帰り道を表示する」など、平易な表現で表示されるコマンドを選択することで、幼児が容易に操作することが可能となる。
【００４２】
かかる迷子コマンドを選択する際には、操作部２３０を用いて操作を行う。迷子コマンドは、メニュー記憶部２２６に記憶する。
【００４３】
上記の構成によれば、所持者である幼児の保護者は、操作部２３０を用いて、好適な迷子コマンドを選択し、迷子メニューを自らの好みや実情にあわせて設定し登録することが可能となる。
【００４４】
携帯端末１１０が迷子モードに切り替えられるのは、携帯端末の所持者が所定の地理的な範囲から外れて迷子になったと判定された場合である。この、所持者が行動を許可されている所定の地理的な範囲（以下、適宜、「所定の範囲」と略称する）も、予め登録可能である。所定の範囲に関する登録は、所持者の保護者等が操作部２３０またはパソコン（図示せず）などを通じて行う。また、携帯端末１１０の購入時に予め販売店の店頭などで登録してもよいし、大まかな範囲登録済みの携帯端末を購入して利用してもよい。
【００４５】
（迷子モードと通常モードの切り替え）
本実施形態の携帯端末１１０は、現在位置情報を活用することにより、迷子モードと、その他のモードの１つである通常モードとを切り替えることができる。
【００４６】
当該携帯端末１１０は、現在位置が上記の地理的な範囲から外れているか否かを判定する判定部２１４を具備している。判定部２１４は、所持者が行動を許可されている、所定の範囲と現在位置情報とを比較する。判定部２１４は、所持者が所定の範囲から外れて迷子になったと判定すると、モード切替部２１６に携帯端末１１０の所持者が所定の範囲から外れていることを通知する。
【００４７】
通知されたモード切替部２１６は、携帯端末１１０を通常モードから迷子モードに切り替える。迷子モードになると、携帯端末１１０の表示部２２８には、迷子メニューが表示される。
【００４８】
さらにモード切替部２１６は、迷子モードになったあと携帯端末１１０の所持者が所定の範囲に戻った場合、通常モードへ切り替える。通常モードでは、表示部２２８のような通常メニューが表示される。
【００４９】
（報知部）
携帯端末１１０は、上記判定部２１４による判定が、所定の範囲内から外れた場合や、またはその逆となった際に、変更後の判定それぞれに応じた、異なる報知動作を行わせる報知部２２０をさらに具備している。
【００５０】
報知部２２０は、音声出力部２３６、振動部２３８、発光部２４０などを制御して、携帯端末１１０の所持者が所定の範囲を外れた場合や、外れた状態から所定の範囲に戻った場合、上記の各部を制御し、適切な報知動作を行う。具体的に一例を挙げれば、所定の範囲から外れた場合には、音声出力部２３６による音と発光部２４０によるＬＥＤを用いて報知動作を行う。逆に、所定の範囲に戻った場合には、振動部２３８によってバイブレーションを発生させ、所持者に対して外れた時と異なる動作により、現在位置に関する情報を報知する。
【００５１】
携帯端末は、上記の報知動作を異ならせることにより、携帯端末１１０の所持者に、現在位置が所定の範囲内か否かを容易に区別して認識させることができる。携帯端末１１０の所持者は、表示部２２８等を確認するまでもなく、所定の範囲から外れたことを認識できるため、携帯端末１１０の所持者に対して、所定の範囲に戻るように促す効果も期待できる。
【００５２】
本実施形態で示した具体例は一例にすぎず、報知動作はここで説明したものと異なる動作としてもよく、携帯端末１１０の所持者の保護者等が、操作部２３０を用いて任意に設定することが可能である。
【００５３】
（迷子モードと通常モードの切り替え方法）
次に、迷子モードと通常モードの切り替え方法について説明する。図４は、迷子モードと通常モードの切り替えに関する動作について説明するフローチャートである。携帯端末１１０の所持者が予め登録された所定の地理的な範囲内を歩いているとする。携帯端末１１０は、迷子コマンドがすでに登録されている状態にあるものとする。
【００５４】
まず現在位置を位置取得部２１２がＧＰＳ取得部２３３を通じてＧＰＳ衛星５００から取得し、現在位置が所定の地理的な範囲から外れているか否かを、判定部２１４が判定する（Ｓ４００）。
【００５５】
判定の結果外れている場合（Ｓ４００の“ＹＥＳ”）は、携帯端末１１０をモード切替部２１６が迷子モードに切り替え（Ｓ４０２）、迷子メニューを表示部２２８に表示する（Ｓ４０３）。判定の結果外れていない場合は（Ｓ４００の“ＮＯ”）、所定の時間ごとに現在位置情報の取得と所定の範囲から外れているか否かの判定を行う。
【００５６】
報知部２２０は、迷子モードに切り替わったことを音声出力部２３６や振動部２３８などを制御して、携帯端末１１０の所持者に報知する（Ｓ４０４）。報知の後、位置取得部２１２は現在位置を取得し、判定部２１４は、取得された新しい現在位置に基づき所定の範囲から外れているか否かの判定を行う（Ｓ４０６）。
【００５７】
判定の結果外れている場合（Ｓ４０６の“ＮＯ”）は、表示部２２８に迷子メニューを表示し続ける。判定の結果外れていない場合は（Ｓ４０６の“ＹＥＳ”）、携帯端末１１０をモード切替部２１６が通常モードに切り替え（Ｓ４０８）、通常メニューを表示部２２８に表示する（Ｓ４０９）。
【００５８】
通常モードへの切り替えが完了すると、報知部２２０は音声出力部２３６や発光部２４０等を制御し、携帯端末１１０の所持者に対して、所定の範囲へ戻ったことを報知する（Ｓ４１０）。このとき、所定の範囲から外れた場合（Ｓ４０４）とは別の手段を用いて報知する。
【００５９】
なお、本明細書の迷子モードと通常モードの切り替え方法における各工程は、必ずしもフローチャートとして記載された順序に沿って時系列に処理する必要はなく、並列的あるいはサブルーチンによる処理を含んでもよい。
【００６０】
（プログラム）
本実施形態にかかるプログラムの代表的な構成は、コンピュータ（図示しない）または携帯端末１１０を、携帯端末１１０の現在位置を取得する位置取得部２１２と、所定の地理的な範囲を予め記憶した記憶部２２２と、現在位置が所定の範囲から外れているか否かを判定する判定部２１４と、携帯端末１１０が迷子モードであるときに当該携帯端末１１０の表示部２２８に表示される迷子メニューに含まれる迷子コマンドを記憶するメニュー記憶部２２６と、判定部２１４が、現在位置が所定の範囲から外れていると判定した場合に、当該携帯端末１１０を迷子モードに切り替えるモード切替部２１６と、して機能させることを特徴とする。
【００６１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６２】
本発明は、携帯端末の所持者が予め記憶した地理的範囲から外れたかを判定する携帯端末、携帯端末の制御方法およびプログラムに利用することができる。
【図面の簡単な説明】
【００６３】
【図１】本実施形態にかかる携帯端末が利用する無線通信システムの概略構成を示す図である。
【図２】携帯端末の概略的な機能を示した機能ブロック図である。
【図３】携帯端末が通常モードである場合と迷子モードである場合の表示部を、それぞれ例示する図である。
【図４】迷子モードと通常モードの切り替え動作について説明するフローチャートである。
【符号の説明】
【００６４】
１００  …無線通信システム
１１０  …携帯端末
１２０  …基地局
１３０  …通信網
１４０  …中継サーバ
１５０  …他の携帯端末
２１０  …制御部
２１２  …位置取得部
２１４  …判定部
２１６  …モード切替部
２１８  …コマンド提示部
２２０  …報知部
２２２  …記憶部
２２４  …範囲記憶部
２２６  …メニュー記憶部
２２８  …表示部
２３０  …操作部
２３２  …無線通信部
２３３  …ＧＰＳ取得部
２３４  …音声入力部
２３６  …音声出力部
２３８  …振動部
２４０  …発光部
５００  …ＧＰＳ衛星
【図１】
2010154124.tif 000003
【図２】
2010154124.tif 000004
【図３】
2010154124.tif 000005
【図４】
2010154124.tif 000006